【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
少なくとも１ページ分の画像データを記憶する記憶手段と、
画像データの読み出し開始アドレスに基づいて前記記憶手段からライン方向に画像データを読み出すデータ読み出し手段と、
前記データ読み出し手段が読み出す画像データのラインを、第１のラインから第２のラインに切り換えるための前記ライン方向におけるライン切り換えアドレスを設定する設定手段と、
前記データ読み出し手段が読み出す前記第１のラインの画像データの前記ライン方向における読み出しアドレスと、前記データ読み出し手段が読み出す前記第２のラインの画像データの前記ライン方向における読み出しアドレスが重複するように、前記データ読み出し手段が読み出す画像データのラインを前記第１のラインから前記第２のラインに切り換えて際の前記第２のラインの画像データの読み出しを開始するための読み出し開始アドレスを生成する生成手段と、
前記データ読み出し手段が前記第１のラインの画像データを読み出す際の前記ライン方向における読み出しアドレスが前記ライン切り換えアドレスとなったことに応じて、前記生成手段が生成した前記第２のラインの読み出し開始アドレスから画像データを読み出すよう、前記データ読み出し手段を制御する制御手段と、
前記ライン方向における読み出しアドレスが重複する前記第１のラインの画像データ及び前記第２のラインの画像データに基づいて階調処理する階調処理手段と、
前記階調処理手段により階調処理された画像データを基に画像を形成する像形成手段とを有することを特徴とする画像形成装置。
【請求項２】
前記第２のラインは前記第１のラインに隣接することを特徴とする請求項１に記載の画像形成装置。
【請求項３】
前記設定手段は、画像データのラインを複数のセグメントに分割した場合の、各セグメントの長さに基づいて前記ライン切り換えアドレスを設定することを特徴とする請求項１又は２に記載の画像形成装置。
【請求項４】
前記複数のセグメントのそれぞれの長さが可変であることを特徴とする請求項３に記載の画像形成装置。
【請求項５】
前記読み出し開始アドレスは、読み出し対象のセグメントの先頭アドレスであることを特徴とする請求項３に記載の画像形成装置。
【請求項６】
前記データ読み出し手段は、リングバッファを介して前記記憶手段から画像データを読み出すことを特徴とする請求項１乃至５のいずれか１項に記載の画像形成装置。
【請求項７】
画像形成装置を制御する画像形成方法であって、
前記画像形成装置のデータ読み出し手段が、画像データの読み出し開始アドレスに基づいて、少なくとも複数のライン分の画像データを記憶するメモリからライン方向に画像データを読み出すデータ読み出し工程と、
前記画像形成装置の設定手段が、前記データ読み出し工程が読み出す画像データのラインを、第１のラインから第２のラインに切り換えるための前記ライン方向におけるライン切り換えアドレスを設定する設定工程と、
前記画像形成装置の生成手段が、前記データ読み出し工程が読み出す前記第１のラインの画像データの前記ライン方向における読み出しアドレスと、前記データ読み出し工程が読み出す前記第２のラインの画像データの前記ライン方向における読み出しアドレスが重複するように、前記データ読み出し工程が読み出す画像データのラインを前記第１のラインから前記第２のラインに切り替えて前記第２のラインの画像データの読み出しを開始するための読み出し開始アドレスを生成する生成工程と、
前記画像形成装置の制御手段が、前記データ読み出し工程が前記第１のラインの画像データを読み出す際の前記ライン方向における読み出しアドレスが前記ライン切り換えアドレスとなったことに応じて、前記生成工程が生成した前記第２のラインの読み出し開始アドレスから画像データを読み出すよう、前記データ読み出し工程を制御する制御工程と、
前記画像形成装置の階調処理手段が、前記ライン方向における読み出しアドレスが重複する前記第１のラインの画像データ及び前記第２のラインの画像データに基づいて階調処理する階調処理工程と、
前記画像形成装置の像形成手段が、前記階調処理工程で階調処理された画像データを基に画像を形成する像形成工程とを有することを特徴とする画像形成方法。
【請求項８】
前記第２のラインは前記第１のラインに隣接することを特徴とする請求項７に記載の画像形成方法。
【請求項９】
前記設定工程は、前記画像データのラインを複数のセグメントに分割した場合の、各セグメントの長さに基づいて前記ライン切り換えアドレスを設定することを特徴とする請求項７又は８に記載の画像形成方法。
【請求項１０】
前記複数のセグメントのそれぞれの長さが可変であることを特徴とする請求項９に記載の画像形成方法。
【請求項１１】
前記読み出し開始アドレスは、読み出し対象のセグメントの先頭アドレスであることを特徴とする請求項９に記載の画像形成方法。
【請求項１２】
前記データ読み出し工程は、リングバッファを介して前記メモリから画像データを読み出すことを特徴とする請求項７乃至１１のいずれか１項に記載の画像形成方法。
【請求項１３】
ページ単位で画像データを入力する入力手段と、
前記入力手段により入力された画像データを記憶する記憶手段と、
読み出し開始アドレスと読み出しデータ長に基づいて前記記憶手段に記憶された画像データをデータセグメントとして読み出す読み出し手段と、
前記読み出し手段により読み出された複数の前記データセグメントで構成される走査ラインの画像データに基づいて像担持体を走査して、前記像担持体上に前記走査ラインで画像を形成する画像形成手段と、
前記像担持体に対する前記走査ラインの湾曲を補正するための補正情報を記憶する補正情報記憶手段と、
前記補正情報記憶手段に記憶された補正情報に基づいて、複数の前記読み出し開始アドレスを生成する生成手段とを有し、
前記読み出し手段は、前記生成手段により生成された前記複数の読み出し開始アドレスを切り換えながら、前記複数のデータセグメントを前記記憶手段から読み出すことを特徴とする画像形成装置。
【請求項１４】
前記画像形成手段は、複数の前記像担持体を有し、
前記補正情報記憶手段は複数の前記像担持体の各々に対応する複数の補正情報を記憶し、
前記生成手段は、前記記憶手段に記憶された複数色の画像データの各色に対応する前記補正情報に基づいて、前記複数の読み出し開始アドレスを生成することを特徴とする請求項１３に記載の画像形成装置。
【請求項１５】
前記読み出し手段は、前記生成手段が生成した複数の前記読み出し開始アドレスと前記読み出しデータ長に基づいて、前記データセグメントを前記記憶手段から前記画像形成手段にＤＭＡ転送することを特徴とする請求項１３又は１４に記載の画像形成装置。
【手続補正２】
【補正対象書類名】明細書
【補正対象項目名】００１０
【補正方法】変更
【補正の内容】
【００１０】
上記目的を達成するために本発明の一態様に係る画像形成装置は以下のような構成を備える。即ち、
少なくとも１ページ分の画像データを記憶する記憶手段と、
画像データの読み出し開始アドレスに基づいて前記記憶手段からライン方向に画像データを読み出すデータ読み出し手段と、
前記データ読み出し手段が読み出す画像データのラインを、第１のラインから第２のラインに切り換えるための前記ライン方向におけるライン切り換えアドレスを設定する設定手段と、
前記データ読み出し手段が読み出す前記第１のラインの画像データの前記ライン方向における読み出しアドレスと、前記データ読み出し手段が読み出す前記第２のラインの画像データの前記ライン方向における読み出しアドレスが重複するように、前記データ読み出し手段が読み出す画像データのラインを前記第１のラインから前記第２のラインに切り換えて際の前記第２のラインの画像データの読み出しを開始するための読み出し開始アドレスを生成する生成手段と、
前記データ読み出し手段が前記第１のラインの画像データを読み出す際の前記ライン方向における読み出しアドレスが前記ライン切り換えアドレスとなったことに応じて、前記生成手段が生成した前記第２のラインの読み出し開始アドレスから画像データを読み出すよう、前記データ読み出し手段を制御する制御手段と、
前記ライン方向における読み出しアドレスが重複する前記第１のラインの画像データ及び前記第２のラインの画像データに基づいて階調処理する階調処理手段と、
前記階調処理手段により階調処理された画像データを基に画像を形成する像形成手段とを有することを特徴とする。
【手続補正３】
【補正対象書類名】明細書
【補正対象項目名】００１１
【補正方法】変更
【補正の内容】
【００１１】
上記目的を達成するために本発明の一態様に係る画像形成方法は以下のような工程を備える。即ち、
画像形成装置を制御する画像形成方法であって、
前記画像形成装置のデータ読み出し手段が、画像データの読み出し開始アドレスに基づいて、少なくとも複数のライン分の画像データを記憶するメモリからライン方向に画像データを読み出すデータ読み出し工程と、
前記画像形成装置の設定手段が、前記データ読み出し工程が読み出す画像データのラインを、第１のラインから第２のラインに切り換えるための前記ライン方向におけるライン切り換えアドレスを設定する設定工程と、
前記画像形成装置の生成手段が、前記データ読み出し工程が読み出す前記第１のラインの画像データの前記ライン方向における読み出しアドレスと、前記データ読み出し工程が読み出す前記第２のラインの画像データの前記ライン方向における読み出しアドレスが重複するように、前記データ読み出し工程が読み出す画像データのラインを前記第１のラインから前記第２のラインに切り替えて前記第２のラインの画像データの読み出しを開始するための読み出し開始アドレスを生成する生成工程と、
前記画像形成装置の制御手段が、前記データ読み出し工程が前記第１のラインの画像データを読み出す際の前記ライン方向における読み出しアドレスが前記ライン切り換えアドレスとなったことに応じて、前記生成工程が生成した前記第２のラインの読み出し開始アドレスから画像データを読み出すよう、前記データ読み出し工程を制御する制御工程と、
前記画像形成装置の階調処理手段が、前記ライン方向における読み出しアドレスが重複する前記第１のラインの画像データ及び前記第２のラインの画像データに基づいて階調処理する階調処理工程と、
前記画像形成装置の像形成手段が、前記階調処理工程で階調処理された画像データを基に画像を形成する像形成工程とを有することを特徴とする。